(57)【特許請求の範囲】
【請求項１】
水道水を室内側冷水供給管から冷水供給管を通して太陽熱で加温される温水タンクにその入口から出口に向けて連続的に送り、温水タンク内で加温された温水を温水取出管から室内側温水取出管を通して温水取出口から取り出し、取り出した分だけ水道水をその圧力で温水タンクに補充する水道直結型太陽熱利用温水器において、冷水供給管と室内側冷水供給管との接続部分と温水取出管と室内側温水取出管との接続部分に、冷水供給管と温水取出管とが室内側冷水供給管と室内側温水取出管との連通を遮断して外気に通ずる排水管との連通に択一的に切り換える切換弁Ａと切換弁Ｃとを設ける一方、温水タンクの入口に、切換弁Ａが冷水供給管と排水管とを遮断しているときには開き、連通すると閉じる逆止弁を、冷水供給管に、冷水供給管と排水管とを遮断しているときには閉じ、連通すると開く外気に通ずる空気流入弁を設けるとともに、温水取出管の温水タンクの温水面より高位置に、切換弁Ｃが温水取出管と排水管とを遮断しているときには閉じ、連通すると開く外気に通ずる空気導入弁を設けたことを特徴とする水道直結型太陽熱利用温水器の凍結防止装置。
【請求項２】
水道水を室内側冷水供給管から冷水供給管を通して太陽熱で加温される温水タンクにその入口から出口に向けて連続的に送り、温水タンク内で加温された温水を温水取出管から室内側温水取出管を通して温水取出口から取り出し、取り出した分だけ水道水をその圧力で温水タンクに補充する水道直結型太陽熱利用温水器において、冷水供給管と室内側冷水供給管との接続部分と温水取出管と室内側温水取出管との接続部分に、冷水供給管と温水取出管とが室内側冷水供給管と室内側温水取出管との連通を遮断して外気に通ずる排水管との連通に択一的に切り換える切換弁Ａと切換弁Ｃとを設ける一方、冷水供給管の温水タンクの温水面より高位置に、切換弁Ａが冷水供給管と排水管とを遮断しているときには閉じ、連通すると開く外気に通ずる空気流入弁を設けるとともに、温水取出管の温水タンクの温水面より高位置に、切換弁Ｃが温水取出管と排水管とを遮断しているときには閉じ、連通すると開く外気に通ずる空気導入弁を設けたことを特徴とする水道直結型太陽熱利用温水器の凍結防止装置。
【請求項３】
空気流入弁が、冷水供給管と排水管とが遮断しているときに外気に通ずる空気流入孔をスプリングで付勢してボールで塞ぐ機械式の逆止弁である請求項１又は２の水道直結型太陽熱利用温水器の凍結防止装置。
【請求項４】
空気流入弁が、外気に通ずる空気流入孔を遠隔制御される開閉体で開閉する遠隔制御式の開閉弁である請求項１又は２の水道直結型太陽熱利用温水器の凍結防止装置。
【請求項５】
空気導入弁が外気に通ずる空気導入孔を遠隔制御される開閉体で開閉する遠隔制御式の開閉弁である請求項１〜４いずれかの水道直結型太陽熱利用温水器の凍結防止装置。
【請求項６】
外気の温度を検出する外気温度センサを設け、外気温度センサが凍結予想温度を検出すると、切換弁Ａが冷水供給管と排水管とを連通させ、切換弁Ｃが温水取出管と排水管とを連通させる請求項１〜５いずれかの水道直結型太陽熱利用温水器の凍結防止装置。
【請求項７】
手動で操作するタイマースイッチを設け、タイマースイッチを入れると、その設定時間だけ、切換弁Ａが室内側冷水供給管と冷水供給管を連通させ、切換弁Ｃが温水取出管と室内側温水取出管を連通させ、設定時間が経過すると、切換弁Ａが冷水供給管と排水管とを連通させ、切換弁Ｃが温水取出管と排水管とを連通させる請求項１〜６いずれかの水道直結型太陽熱利用温水器の凍結防止装置。
【請求項８】
切換弁Ａ、Ｃと共に、切換弁Ａが室内側冷水供給管と排水管とを連通させ、切換弁Ｃが温水取出管と排水管とを連通させているときには、水道水が供給される第二室内側冷水供給管と室内側温水取出管とを連通させ、切換弁Ａが室内側冷水供給管と冷水供給管とを連通させ、切換弁Ｃが温水取出管と室内側温水取出管とを連通させているときには遮断する切換弁Ｂを設けてこれら切換弁Ａ〜Ｃで回路切換装置を構成した請求項１〜７いずれかの水道直結型太陽熱利用温水器の凍結防止装置。
【請求項９】
温水取出管と温水取出口との間に温水取出管の温水を所望の温度に加温できる補助加温器を挿設した請求項１〜８いずれかの水道直結型太陽熱利用温水器の凍結防止装置。
【発明の詳細な説明】
【０００１】
【発明の属する技術分野】
本発明は、水道直結型太陽熱利用温水器の凍結防止装置に関するものである。
【０００２】
【従来の技術】
太陽熱を利用する温水器には水道直結型と称されるものがある。これは、温水タンクへの給水及び温水タンクからの給湯を水道圧によっているものであり、水道から温水タンクを経て温水取出口までの循環系統に水道水を充満させているものである。このため、消費された温水は、その分だけ水道水がその圧力によって自動的に補充されるから、面倒な給水操作や温水量管理等を必要とせず、構造及び操作が簡単になる利点がある。一方で、太陽熱利用温水器の性能は、太陽熱を受光する温水タンクの集熱効率にかかっている。この中でも、特許第１６９１３３１号等に見られる、所謂、魔法瓶方式のものは、集熱効率が高いことで知られている。
【０００３】
【発明が解決しようとする課題】
ところで、我が国で太陽熱利用温水器を使用するには、冬季における凍結の問題を考慮しておかなければならない。温水タンクは、通常、屋根等の高位置に設置されるが、温水タンク自身は上記のように保温機能を有していて凍結の心配はない。しかし、これへ冷水を供給する冷水供給管やこれから温水を取り出す温水取出管の一部は外気に曝されている。従って、気温が氷点下になると、これらの管の中の水は凍結する。管の中の水が凍結すると、水道水の供給もできないし、温水の取出しもできず、このシステムを利用できない。寒冷地の厳寒期では、この状態が一日中続くこともあり、稼働率を落としている。
【０００４】
このため、冷水供給管や温水取出管をヒーター等で温めて凍結を防止するものが見られるが、この加温のためのエネルギーは少なくはなく、非常に大きなランニングコストを要していた。地方によっては、太陽熱で得られるエネルギーよりも加温に消費されるエネルギーの方が大きい場合もあり、何のためにこの設備を設置しているのかわからないほどである。本発明は、このような課題を解決したものであり、水道直結型太陽熱利用温水器にエネルギー消費の少ない凍結防止装置を組み込んだものである。
【０００５】
【課題を解決するための手段】
以上の課題の下、本発明は、請求項１に記載した、水道水を室内側冷水供給管から冷水供給管を通して太陽熱で加温される温水タンクにその入口から出口に向けて連続的に送り、温水タンク内で加温された温水を温水取出管から室内側温水取出管を通して温水取出口から取り出し、取り出した分だけ水道水をその圧力で温水タンクに補充する水道直結型太陽熱利用温水器において、冷水供給管と室内側冷水供給管との接続部分と温水取出管と室内側温水取出管との接続部分に、冷水供給管と温水取出管とが室内側冷水供給管と室内側温水取出管との連通を遮断して外気に通ずる排水管との連通に択一的に切り換える切換弁Ａと切換弁Ｃとを設ける一方、温水タンクの入口に、切換弁Ａが冷水供給管と排水管とを遮断しているときには開き、連通すると閉じる逆止弁を、冷水供給管に、冷水供給管と排水管とを遮断しているときには閉じ、連通すると開く外気に通ずる空気流入弁を設けるとともに、温水取出管の温水タンクの温水面より高位置に、切換弁Ｃが温水取出管と排水管とを遮断しているときには閉じ、連通すると開く外気に通ずる空気導入弁を設けたことを特徴とする水道直結型太陽熱利用温水器の凍結防止装置を提供する。
【０００６】
請求項１の発明は、凍結予想時に凍結のおそれのある冷水供給管の冷水と温水取出管の温水を抜いて凍結を防止するのであるが、この太陽熱利用温水器（以下、温水器）が水道直結型であることから、それ特有の問題がある。まず、冷水供給管については、切換弁Ａによって水道水が冷水供給管に流れないようにする他（水道圧がかからないようにする）、冷水供給管を排水管に連通させ、逆止弁を閉じて温水タンクの温水が冷水供給管に逆流するのを阻止するとともに、空気流入弁を開いてこの中に空気を流入させ、冷水供給管の冷水が排水管から排水できるようにその負圧を除いている。一方、温水取出管については、切換弁Ｃによって温水取出管の温水が温水取出口に流れるのを阻止する他、温水取出管と排水管を連通させ、空気導入弁を開いてこの中に空気を導入し、同じく負圧を除いて温水取出管の温水を排水管から排水できるようにしている。このとき、空気導入弁は、温水タンクの温水面よりも高位置に設けられているから、ここに空気が導入されると、温水タンクの温水は大気圧に遮られて温水取出管に至らず、外部に排出されることはない。
【０００７】
又、本発明は、請求項２に記載した、水道水を室内側冷水供給管から冷水供給管を通して太陽熱で加温される温水タンクにその入口から出口に向けて連続的に送り、温水タンク内で加温された温水を温水取出管から室内側温水取出管を通して温水取出口から取り出し、取り出した分だけ水道水をその圧力で温水タンクに補充する水道直結型太陽熱利用温水器において、冷水供給管と室内側冷水供給管との接続部分と温水取出管と室内側温水取出管との接続部分に、冷水供給管と温水取出管とが室内側冷水供給管と室内側温水取出管との連通を遮断して外気に通ずる排水管との連通に択一的に切り換える切換弁Ａと切換弁Ｃとを設ける一方、冷水供給管の温水タンクの温水面より高位置に、切換弁Ａが冷水供給管と排水管とを遮断しているときには閉じ、連通すると開く外気に通ずる空気流入弁を設けるとともに、温水取出管の温水タンクの温水面より高位置に、切換弁Ｃが温水取出管と排水管とを遮断しているときには閉じ、連通すると開く外気に通ずる空気導入弁を設けたことを特徴とする水道直結型太陽熱利用温水器の凍結防止装置を提供する。
【０００８】
請求項２の発明は、上記した逆止弁を廃して空気流入弁のみによったものであるが、この空気流入弁を空気導入弁と同様に冷水供給管の温水タンクの温水面より高位置に設けることで、このことを可能にしている。切換弁Ａが冷水供給管と排水管とを連通させると、空気流入弁が開いて外気を冷水供給管に流入させてこの中の冷水を排水可能にするのであるが、空気が流入される位置が温水タンクの温水面より高位置に設けられてあるから、ここに空気が流入されると、温水タンクの温水は冷水供給管に逆流することはない。逆止弁を使用しないから、部材を省略できるとともに、作動のトラブルを発生させない。
【０００９】
上記二発明における空気流入弁には、請求項３に記載した、冷水供給管と排水管とが遮断しているときに外気に通ずる空気流入孔をスプリングで付勢してボールで塞ぐ機械式の逆止弁が考えられる。冷水供給管と外気に通ずる排水管が連通すると、冷水が排水しようとして冷水供給管には負圧がかかるから、この負圧によってボールはスプリングに抗して空気流入孔から離反して外気の流入を許容するものである。この逆止弁によると、構造が簡単でコストが安くなる利点がある。又、請求項４の外気に通ずる空気流入孔を遠隔制御される開閉体で開閉する遠隔制御式の開閉弁によってもよい。この場合、開閉体は強制的に動かされるから、作動時期を正確に制御できて動作が確実になる利点がある。一方、より高感度で制御されることが必要な空気導入弁に関しては、請求項５の外気に通ずる空気導入孔を遠隔制御される開閉体で開閉する遠隔制御式の開閉弁によるものが動作が確実であって好ましい。
【００１０】
この場合において、請求項６に記載の外気の温度を検出する外気温度センサを設け、外気温度センサが凍結予想温度を検出すると、切換弁Ａが冷水供給管と排水管とを連通させ、切換弁Ｃが温水取出管と排水管とを連通させる手段によれば、これら凍結防止措置が自動的にできるし、請求項７に記載の手動で操作するタイマースイッチを設け、タイマースイッチを入れると、その設定時間だけ、切換弁Ａが室内側冷水供給管と冷水供給管を連通させ、切換弁Ｃが温水取出管と室内側温水取出管を連通させ、設定時間が経過すると、切換弁Ａが冷水供給管と排水管とを連通させ、切換弁Ｃが温水取出管と排水管とを連通させる手段によれば、冷水供給管の冷水や温水取出管の温水を流通させることができるから、凍結のおそれはない。従って、凍結予想時であっても、温水が利用でき、温水タンクの温水を有効利用できる。
【００１１】
更に、本発明は、以上の温水器において、請求項８に記載した、切換弁Ａ、Ｃと共に、切換弁Ａが室内側冷水供給管と排水管とを連通させ、切換弁Ｃが温水取出管と排水管とを連通させているときには、水道水が供給される第二室内側冷水供給管と室内側温水取出管とを連通させ、切換弁Ａが室内側冷水供給管と冷水供給管とを連通させ、切換弁Ｃが温水取出管と室内側温水取出管とを連通させているときには遮断する切換弁Ｂを設けてこれら切換弁Ａ〜Ｃで回路切換装置を構成した手段によれば、切換弁Ｂが存在することで、凍結予想時に温水取出口から水が取り出せないことを解消できるし、このとき、請求項９に記載した、温水取出管と温水取出口との間に温水取出管の温水を所望の温度に加温できる補助加温器を挿設すれば、ボイラー等の温水器として使用できる。
【００１２】
【発明の実施の形態】
以下、本発明の実施の形態を図面を参照して説明する。図１は本発明の一例を示す室内側に設けられる室内設備１の説明図、図２は屋外の高位置に設けられる温水タンク２の説明図であるが、水道水源に通ずる水道水供給口３から、逆止弁付きストレーナ４、減圧弁５、逆止弁６の各機器を経て室内側冷水供給管７によって回路切換装置８の切換弁Ａの接続口まで延びている。尚、ストレーナ４から逆止弁６までの経路は、ストレーナ４の底から減圧弁５の裏面に入り、表面を折り返して逆止弁６に入るようになっていて非常にコンパクトな構造になっている。切換弁Ａの他の接続口からは冷水供給管９が延びて温水タンク２の入口に繋がれている。
【００１３】
温水タンク２の出口からは温水取出管１０が延びて同じく回路切換装置８の切換弁Ｃの接続口に至っている。切換弁Ｃの他の接続口からは室内側温水取出管１１が延びて温水取出口１２に至っている。尚、室内側温水取出管１１と温水取出口１２との間にはボイラーや電気温水器等の補助加熱器１３を設置し、温水タンク２の温水を所望の温度に加熱できるようになっている。この他、逆止弁６からは第二室内側冷水供給管１４が延びて同じく回路切換装置８の切換弁Ｂの接続口に至っている。切換弁Ｂの他の接続口からは短絡通路１５が延びており、室内側温水取出管１１に合流している。
【００１４】
本例の温水タンク２は、魔法瓶方式のもので、ステンレス等の内管１６と外管１７とからなる二重筒の外周をガラス管１８で覆ったものを一つの集熱ユニットとしている。この場合、内管１６の先端は開口しており、内管１６内と内管１６と外管１７との間は連通している。又、外管１７とガラス管１８との間は真空層に形成されている。以上の集熱ユニットは、複数個が並列に配されており、各々の内管１６の基端を分岐させる基内管１９がそれぞれの内管１６に交錯する形で閉塞して設けられている。基内管１９の外周には基外管２０が閉塞された状態で設けられており、基内管１９と基外管２０との間及び各内管１６と外管１７との間は連通している。
【００１５】
前記した冷水供給管９は、この基内管１９の上流側に接続されており、この接続個所に逆止弁２１が挿設されている。図３はこの逆止弁２１の断面図であるが、スプリング２２で付勢されて基内管１９に設けられる弁口５９を閉塞する弁体２３を主体とするものである。冷水供給管９の水に圧力があると、スプリング２２は押されて弁体２３が弁口５９から離れ、水を下流側に通すが、圧力が失われると、スプリング２２の作用で弁体２３は押されて弁口５９を塞いで基内管１９を閉塞する。冷水供給管９には空気流入弁２４も設けられている。本例の空気流入弁２４は、構造が簡単な機械式の逆止弁であって、管壁に外気に通ずる空気流入孔２５を形成し、この空気流入孔２５をスプリング２６で押して塞ぐボール２７を設けたものであり、冷水供給管９の水の圧力が失われて負圧になると、ボール２７はスプリング２６を押して空気流入孔２５から離れ、冷水供給管９に空気が流入するのを許容する。
【００１６】
基外管２０の下流側からは、最高位が温水タンク２の温水面よりも高位置にある上昇管２８が延びており、この高位部分に空気導入弁２９が設けられている。図４は空気導入弁２９の説明図であるが、本例の空気導入弁２９は遠隔制御式の開閉弁を用いており、管壁に形成された外気に通ずる空気導入孔３０をソレノイド３１で昇降させられるスプール等に取り付けられる開閉体３２で開閉するものである。この場合のソレノイド３１は、後述するマイクロスイッチＭ３が閉じると一定時間起動するタイマーＴ１で励磁され、ソレノイド３１が励磁されると、開閉体３２を引き上げて空気導入孔３０の閉塞を解除し、上昇管２８に空気が導入されるのを許容する。温水タンク２の温水面よりも高位置にある上昇管２８に空気が導入されると、温水タンク２の温水は温水取出管１０には流出しない。この他、上昇管２８には、圧力弁である逃がし弁３４で制御される逃がし管３５も設けられている。
【００１７】
図５は、本発明の他の例を示す機器配置図であるが、本例のものは、上記した逆止弁２１を廃して空気流入弁２４のみによったものであるが、この空気流入弁２４を空気導入弁２９と同様に温水タンク２の温水面より高位置に設けたものである。即ち、基外管２０の上流側に最高位が温水タンク２の温水面よりも高位置にある上昇管５０を延ばし、ここに空気流入孔５１、ボール５２及びスプリング５３からなる機械式の逆止弁５４を組み込んだものである。切換弁Ａが冷水供給管９と後述する排水管３７とを連通させると、冷水供給管９の冷水が排水しようとして冷水供給管９に負圧がかかるから、この負圧によってスプリング５３に抗してボール５２が動くのであるが、このスプリング４３の強さは温水タンク２の温水が上昇管５０を昇る圧力よりも弱くしてあり、温水タンク２の温水が冷水供給管９に逆流することはない。この点で、上昇管５０の上昇量は高いほど好ましいといえる。
【００１８】
図６も、本発明の他の例を示す機器配置図であるが、本例のものは、空気流入弁２４として遠隔制御式の開閉弁５５を用いたものである。即ち、空気導入弁２９と同様に上昇管５０に設けた空気流入孔５６をソレノイド５７及び開閉体５８で開閉するようにしたものである。この場合、ソレノイド５７は空気導入弁２９のソレノイド３１と同じタイミングで作動すればよいから、両者を並列に接続しておけばよい。開閉体５８はソレノイド５７で強制的に作動させられるものであるから、その動作を高精度に制御できる。
【００１９】
前記した回路切換装置８の切換弁Ａと切換弁Ｃには、排水口（大気）３６に通ずる排水管３７に連絡される接続口も設けられている。図７はこの回路切換装置８の断面図であるが、本例の切換弁Ａ〜Ｃは、いずれも連動式のボールバルブで構成されている。即ち、弁箱３８の中に切換弁Ａを構成するボール３９と切換弁Ｂを構成するボール４０と切換弁Ｃを構成するボール４１が共通の弁軸４２で連結されて回転可能に収容されている（図１ではボール３９〜４１を弁軸４２方向から見たものに並べ替えてある）。このうち、切換弁Ａのボール３９と切換弁Ｃのボール４１には９０°に折曲する弁路４３、４４が形成されており、図１の（イ）状態では、この弁路４３は、室内側冷水供給管７と冷水供給管９とを連通させ、弁路４４は、温水取出管１０と室内側温水取出管１１とを連通させている。一方、切換弁Ｂの弁路４５は、１８０°の真直に形成されており、（イ）状態では、第二室内側冷水供給管１４と短絡通路１５との連通を遮断している。
【００２０】
弁軸４２はモータＭによって９０°の範囲で回転させられるものであり、この回転させられた状態が図１の（ロ）状態である。この状態になると、切換弁Ａは冷水供給管９と排水管３７とを連通させ、又、切換弁Ｃは温水取出管１０と排水管３７とを連通させ、更に、切換弁Ｂは第二室内側冷水供給管１４と短絡通路１５とを連通させる。図８はモータＭの駆動回路図であるが、弁軸４２は、モータＭの動力を減速機構４６で減速して駆動されるが、このモータＭは、外気に曝されて設けられた外気温度センサＳ１が凍結予想温度を検出すると、自動的に起動する。弁軸４２の９０°の範囲の停止位置の検出は、二つのマイクロスイッチＭ１、Ｍ２で行われる。具体的には、弁軸４２にカム４７が取り付けられており、このカム４７が９０°に亘って配設された二つのマイクロスイッチＭ１、Ｍ２に来たときを停止位置とする。即ち、カム４７がマイクロスイッチＭ１を押している（ａ）の位置にあるときが回路切換装置８が（イ）状態であり、マイクロスイッチＭ２を押している（ｂ）の位置に来たときが（ロ）状態である。
【００２１】
次に、以上の構成からなる温水器の作動について説明すると、凍結が予想されない非凍結予想時には、回路切換装置８は（イ）状態で、カム４７は（ａ）位置にあり、水道水は、減圧弁５で適宜減圧されて（水道水の圧力では強すぎるから）室内側冷水供給管７から切換弁Ａを経由して冷水供給管９を通って温水タンク２の基内管１９に至る。基内管１９に流入した水は、その圧力で逆止弁２１の弁体２３を押して弁口５９を開いて下流側に流れ、内管１６、内管１６と外管１７との間、基内管１９と基外管２０との間、上昇管２８、温水取出管１０、室内側温水取出管１１すべてに充満する。
【００２２】
この間、温水タンク２は太陽熱で加温されるから、中に充満している水は内管１６から内管１６と外管１７との間に至る間に加温され、特に、基内管１９と基外管２０との間の部分に存在する水は十分に加温されている（太陽熱が注がなくなっても、内管１６とガラス管１８との間は真空の断熱層になっているから、内管１６と外管１７との間の温水は冷め難いし、勿論、凍結のおそれはない）。尚、内管１６と外管１７とからなる集熱ユニットの数は、必要とする温水の量に応じて決定される。
【００２３】
この場合、加温が過ぎて圧力が一定以上高まると、逃がし弁３４が作動して温水の一部を逃がし管３５から逃がし、機器の破損を防止する。太陽熱で温められた温水が必要な場合、蛇口等が設けられる温水取出口１２から必要量だけ取り出して使用すればよいのであり、消費された分は、水道水が水道水供給口３から自動的に補充される。このとき、温水の温度は室内側温水取出管１１に取り付けられた湯温センサＳ２で計測できるから、この温度が低いときには、補助加熱器１３を作動させて必要な温度にすることも可能である。又、温か過ぎる場合は、温水取出口１２にワンレバー水栓等を取り付けておけば、必要な温度に下げて取り出すこともできる。
【００２４】
以上の状態のときのモータＭの動きを図８の回路図で説明すると、ここで用いられる外気温度センサＳ１は、その閉接点を使っており、凍結温度を検出しないときには内部の回路を導通状態にするもので、リレーＲＹのコイルＲに電流が流れている。従って、リレーＲＹの接点ｒは黒塗り端子側に切り換わっており、マイクロスイッチＭ１を通るモータＭへの回路に電流が流れることになる。しかし、この回線はマイクロスイッチＭ１のＣＯＭ端子とＮＣ端子に繋がっていることから、カム４７が（ａ）位置にあってマイクロスイッチＭ１のアクチュエータを押している限り、モータＭには電流が流れず、回転することはない。
【００２５】
これに対して外気温度センサＳ１が凍結予想温度（例えば１℃）を検出すると、リレーＲＹのコイルＲの回路に電流が流れなくなり、接点ｒは白塗り端子側に切り換わる。すると、マイクロスイッチＭ２を通るモータＭへの回路に電流が流れ、このとき、マイクロスイッチＭ２のアクチュエータは押されておらず、しかも、この回線はＣＯＭ端子とＮＣ端子に繋がっていることから、結局、この回路に電流が流れ、モータＭを起動してカム４７を（ｂ）位置まで回転させる。カム４７が（ｂ）位置まで回転すると、そのアクチュエータが押され、電流の流れが止んでモータＭはこの（ｂ）位置で停止する。この動きに連動して回路切換装置８も（ロ）状態に切り換わる。この間、モータＭの起動時間は数秒間でよく、その消費電力はきわめて少ない。
【００２６】
一方、外気温度が上がって凍結予想温度を脱すると、外気温度センサＳ１は再び導通状態となり、リレーＲＹの接点ｒを再度黒塗り端子側に切り換える。このとき、カム４７はマイクロスイッチＭ１を押していないから、そのＣＯＭ端子とＮＣ端子間には電流が流れ、モータＭ（コンデンサＣを並列に入れて回転方向が毎回正逆になるリバーシブルモータを用いている）を回転させ、カム４７は（ｂ）の位置から（ａ）の位置に戻り、これに伴って回路切換装置は、（ロ）状態から（イ）状態に切り換わる。
【００２７】
回路切換装置８が（ロ）状態になると、冷水供給管９と排水管３７が連通するとともに、温水取出管１０と排水管３７も連通し、冷水供給管９の冷水及び温水取出管１０の温水はそれぞれ排水管４７を通って排出口３６から排出される。このとき、冷水供給管９の空気流入弁２４は、ボール２７が空気流入孔２５から離れて空気の流入を許容するから、速やかな排水が可能になる。一方、このとき、逆止弁２１の弁体２３は、スプリング２２の力で弁口５９を塞ぐことになるから、温水タンク２の温水が冷水供給管９に逆流することはない。
【００２８】
尚、以上は、逆止弁２１と空気流入弁２４を併設した場合であるが、逆止弁２１を廃して機械式の逆止弁５４からなる空気流入弁２４のみを温水タンク２の温水面より高位置に設けた場合も同様な作用をする。即ち、冷水供給管９の冷水が排水しようとしてこれに負圧がかかると、即座にボール５２がスプリング５３を押して空気流入孔５１を開放するから、ここに外気を流入させ、温水タンク２の温水が冷水供給管９に逆流しようとするのを規制する。更に、空気流入弁２４を遠隔制御式の開閉弁５５にしたときも同様であり、回路切換装置８が（ロ）状態になって冷水供給管９と排水管３７とが連通すると、以下に述べる空気導入弁２９と同様にそのソレノイド５７が励磁されて開閉体５８を引き上げ、空気流入孔５６を開放してここに外気が流入するのを許容する。
【００２９】
回路切換装置８が（ロ）状態になると、これと並行して上昇管２８の空気導入弁２９のソレノイド３１は励磁されて開閉体３２を引き上げるから、空気導入孔３０は開放され、温水取出管１０の温水は排水管３７を通して排出口３７から速やかに排出される。図９はソレノイド３１を励磁する回路であるが、マイクロスイッチＭ２に並べてマイクロスイッチＭ３が設けており、このマイクロスイッチＭ３のＣＯＭ端子とＮＯ端子を上記した空気導入弁２９のソレノイド３１（開閉弁５５を採用するときにはそのソレノイド５７も）を励磁させるタイマーＴ１の回路に挿入している。従って、回路切換装置８が（ロ）状態になると、温水取出管１０に空気が導入されることになる。
【００３０】
このとき、空気導入弁２９は、温水タンク２の温水面よりも高い位置に設定され、しかも、水道圧は切換弁Ａで遮断されているから、温水タンク２の温水が温水取出管１０に流れ込むことはない。尚、タイマーＴ１の設定時間が来ると（この間に温水取出管１０の温水は排水されてしまっている）、ソレノイド３１の励磁は止んで開閉体３２は降下して空気導入孔３０を塞ぐ。このように、ソレノイド３１、５１はわずかな時間だけ励磁させればよく、消費電力は非常に少ない。
【００３１】
ところで、以上の凍結予想時、即ち、回路切換装置８が（ロ）状態のときにも、温水取出口１０から水を取り出す必要があることがある。この場合は、切換弁Ｂが第二室内側冷水供給管１４と短絡通路１５及び室内側温水取出管１１を連通しているから、水道水はこの経路を通って温水取出口１２から取り出せる。このとき、補助加熱器１３を通せば、所望の温度に加温できる。
【００３２】
尚、回路切換装置８は、外気温度センサＳ１等に並列に配したスイッチ（図示省略）によって手動でも切り換えることができるようにしておくのが適する。凍結予想時であっても、炊事や風呂への給湯といった温水タンク２の温水を利用する機会が多いときは、このスイッチを操作して回路切換装置８を（ロ）から（イ）状態に切換え、温水タンク２の温水が取り出せるようにして太陽熱の有効利用を図ったものである。このとき、冷水供給管９や温水取出管１０は、その中を冷水や温水が流れることになるから、凍結は起こらない。そして、このスイッチを設定時間だけ働くタイマースイッチにしておけば、回路切換装置８は（ロ）状態に自動的に復帰するから、この操作のし忘れがない。
【００３３】
以上は、回路切換装置８を機械式のボールバルブで構成したものであるが、これを採用する利点は、凍結予想温度になったときに（イ）状態から（ロ）状態に切り換えるとき、或いは凍結予想温度を脱したときに（ロ）状態から（イ）状態に切り換えるとき、モータＭの駆動時間がほんの数秒間でよく、後は電力の消費を必要としない点である。この点で、非常に省エネ的といえる。但し、外気温度センサＳ１の閉接点を使用していることから、
（イ）状態のときにはリレーＲＹのコイルＲに常に電流が流れており、この点では、僅か（１Ｗ以下）ではあるが、電力を消費していることになる。そこで、この回路に、例えば、８℃以下でオン、以上でオフとなる省エネセンサＳ３を入れておけば、８℃以上の気温となる一年の大半は消費エネルギーを零とすることができる。尚、スナップスイッチＳＳを切断すれば、いつでもモータＭを起動して（ロ）状態とすることができる。更に、外気温度センサＳ１の開接点を使用しても、同様の制御をすることも可能であるから、この場合は、更に省エネになる。
【００３４】
図８は、回路切換装置８を電磁弁で構成した回路図であるが、切換弁Ａ〜Ｃに代えて電磁弁Ａ〜Ｃにしてもよい。これによると、上記（イ）状態に相当する給水、給湯状態のときにはソレノイドに電流は流れないものの、（ロ）状態に相当する排水状態のときには、その間中、電流は流れていることになる。しかし、この場合でも、ヒータ等の電力消費に比べればはるかに少なくて済し、加えて、この電磁弁方式によれば、モータやマイクロスイッチといった関連部品が不要になる利点がある。
【００３５】
【発明の効果】
以上、本発明は、凍結予想時に冷水供給管の冷水と温水取出管の温水を抜いてこの中を空にするものであるから、これらの管の中が凍結して温水器を使用できなくなる事態はない。この場合において、回路切換装置や空気流入（導入）弁といった制御機器はわずかな電力で作動できるし、その作動時間もきわめて短時間であるから、消費電力はきわめて少なく、省エネ効果が非常に高いものとなる。
【図面の簡単な説明】
【図１】本発明の一例を示す室内設備の説明図である。
【図２】本発明の一例を示す温水タンクの説明図である。
【図３】本発明の一例を示す逆止弁と空気流入弁の説明図である。
【図４】本発明の一例を示す空気導入弁の説明図である。
【図５】本発明の他の一例を示す空気流入弁等の機器配置図である。
【図６】本発明の他の一例を示す空気流入弁等の機器配置図である。
【図７】本発明の一例を示す回路切換装置の断面図である。
【図８】本発明の一例を示すモータの駆動回路図である。
【図９】本発明の一例を示すソレノイドの回路図である。
【図１０】本発明の他の一例を示す回路切換装置の回路図である。
【符号の説明】
２      温水タンク
７      室内側冷水供給管
８      回路切換装置
９      冷水供給管
１０    温水取出管
１１    室内側温水取出管
１２    温水取出口
１３    補助加熱装置
１４    第二室内側冷水供給管
２１    逆止弁
２４    空気流入弁
２９    空気導入弁
３７    排水管
Ｓ１    外気温度センサ
【図１】
0003904468.tif 000002
【図２】
0003904468.tif 000003
【図３】
0003904468.tif 000004
【図４】
0003904468.tif 000005
【図５】
0003904468.tif 000006
【図６】
0003904468.tif 000007
【図７】
0003904468.tif 000008
【図８】
0003904468.tif 000009
【図９】
0003904468.tif 000010
【図１０】
0003904468.tif 000011